(57)【要約】【課題】複数のネットワーク接続装置からなるネットワークを同一のセグメントとすることができ、ＩＰの割り当て数を減少させることができるネットワーク接続装置を提供する。【解決手段】物理メディアが異なる伝送路間で信号を変換して中継するネットワーク接続装置２であって、ユーザポート６ａと、長距離伝送用ポート７ａと、管理ポート８ａと、中継ＬＳＩ１８ａと、ＣＰＵ１９ａを備え、ＣＰＵ１９ａは管理ポート８ａ又は長距離伝送用ポート７ａの一方から管理情報が送られてきた場合、管理情報の宛先ＭＡＣアドレスが自装置のＭＡＣアドレスと一致する場合、管理情報を転送せず、管理情報の宛先ＭＡＣアドレスが自装置のＭＡＣアドレスと一致しない場合、管理情報を管理ポート８ａ又は長距離伝送用ポート７ａの他方へ転送する管理情報転送手段２２ａを備える。【選択図】図１
2011040901.tif 000002
【特許請求の範囲】
【請求項１】
物理メディアが異なる伝送路間で信号を変換して中継するネットワーク接続装置であって、
第１のポートと、
第２のポートと、
前記第１のポートと前記第２のポートの間で管理情報を転送する管理情報転送手段とを備え、
前記管理情報転送手段は、
前記第１のポート又は第２のポートの一方から管理情報が送られてきた場合、  前記管理情報の宛先ＭＡＣアドレスが自装置のＭＡＣアドレスと一致する場合、前記管理情報を転送せず、
前記管理情報の宛先ＭＡＣアドレスが自装置のＭＡＣアドレスと一致しない場合、前記管理情報を前記第１のポート又は前記第２のポートの他方へ転送することを特徴とするネットワーク接続装置。
【請求項２】
前記管理情報転送手段は、
前記管理情報の宛先ＭＡＣアドレスがブロードキャストアドレスと一致する場合、前記管理情報を前記第１のポート又は前記第２のポートの他方へ転送する請求項１記載のネットワーク接続装置。
【請求項３】
物理メディアが異なる伝送路間で信号を変換して中継するネットワーク接続装置であって、
第１のポートと、
第２のポートと、
管理ポートと、
前記第１のポート及び前記第２のポートと接続し、前記第１のポートと前記第２のポートの間で信号を変換して中継する中継処理部と、
前記管理ポート及び前記中継処理部と接続し、前記管理ポートと前記中継処理部の間で管理情報を転送する管理情報転送手段とを備え、
前記中継処理部は前記第１のポートと前記管理情報転送手段の間で管理情報を中継し、  前記管理情報転送手段は、
前記管理ポート又は前記中継処理部の一方から管理情報が送られてきた場合、  前記管理情報の宛先ＭＡＣアドレスが自装置のＭＡＣアドレスと一致する場合、前記管理情報を転送せず、
前記管理情報の宛先ＭＡＣアドレスが自装置のＭＡＣアドレスと一致しない場合、前記管理情報を前記管理ポート又は前記中継処理部の他方へ転送することを特徴とするネットワーク接続装置。
【請求項４】
前記管理情報転送手段は、
前記管理情報の宛先ＭＡＣアドレスがブロードキャストアドレスと一致する場合、前記管理情報を前記第１のポート又は前記第２のポートの他方へ転送する請求項３記載のネットワーク接続装置。
【請求項５】
前記管理情報の宛先ＭＡＣアドレスが自装置のＭＡＣアドレスと一致する場合、前記管理情報を処理する処理部を備える請求項３記載のネットワーク接続装置。
【請求項６】
請求項１又は２記載のネットワーク接続装置の複数が、前記第１のポート間又は前記第２のポート間が伝送路により接続されて、互いに接続され、
管理情報を送信する管理端末が前記複数のネットワーク接続装置の一つに接続されたことを特徴とするネットワーク。
【請求項７】
請求項３〜５いずれか記載のネットワーク接続装置の複数が、前記第１のポート間又は前記管理ポート間が伝送路により接続されて、互いに接続され、
管理情報を送信する管理端末が前記複数のネットワーク接続装置の一つのネットワーク接続装置の管理ポートに接続されたことを特徴とするネットワーク。
【発明の詳細な説明】
【技術分野】
【０００１】
本発明は、物理メディアの異なる伝送路間で信号を変換して中継するネットワーク接続装置及びネットワークに係り、特に、インバンド管理機能を有するネットワーク接続装置及びネットワークに関するものである。
【背景技術】
【０００２】
図５に示すネットワーク１００のように、長距離離間して存在する地域網Ａと地域網Ｂとを接続するさいに、例えば、光ファイバケーブルからなる長距離伝送路１０５を用いて接続するネットワーク構成がある。
【０００３】
しかしながら、地域網Ａ及び地域網Ｂと長距離伝送路１０５とでは、物理メディア（銅線ケーブルや光ファイバケーブルなどの伝送媒体、符号化形式、光波長、シリアル又は波長多重などの伝送規格）が異なる。物理メディアの異なる伝送路間では、そのまま信号を中継することができない。そこで、物理メディアの異なる伝送路間で信号を変換して中継するネットワーク接続装置（例えば、メディアコンバータ）が用いられている。図５において、地域網Ａと長距離伝送路１０５との間、及び地域網Ｂと長距離伝送路１０５との間をそれぞれネットワーク接続装置１０１，１０３で接続している。
【０００４】
具体的には、地域網Ａとネットワーク接続装置１０１が伝送路１０２により接続されると共に、地域網Ｂとネットワーク接続装置１０３が伝送路１０４により接続されており、両ネットワーク接続装置１０１，１０３同士が長距離伝送路１０５により接続されている。伝送路１０２は、ネットワーク接続装置１０１のユーザポート１０６ａに接続されており、伝送路１０４はネットワーク接続装置１０３のユーザポート１０６ｂに接続されており、また、長距離伝送路１０５は、両ネットワーク接続装置１０１，１０３の長距離伝送用ポート１０７ａ，１０７ｂに接続されている。
【０００５】
ネットワーク１００において、例えば、地域網Ａから地域網Ｂにユーザフレームを送る場合、地域網Ａから送信されたユーザフレームは、伝送路１０２を介してネットワーク接続装置１０１のユーザポート１０６ａで受信される。ユーザフレームは、ネットワーク接続装置１０１にて、長距離伝送用の信号に変換されて、長距離伝送用ポート１０７ａから送信される。ネットワーク接続装置１０１から送信されたユーザフレームは、長距離伝送路１０５を介してネットワーク接続装置１０３の長距離伝送用ポート１０７ｂで受信される。ユーザフレームは、ネットワーク接続装置１０３にて、地域網用の信号に変換されて、ユーザポート１０６ｂから送信される。ネットワーク接続装置１０３より送信されたユーザフレームは、伝送路１０４を介して地域網Ｂにて受信される。地域網Ｂから地域網Ａへユーザフレームを送信する場合も同様である。
【０００６】
ところで、上述のようなネットワーク接続装置１０１，１０３では、ネットワーク接続装置１０１，１０３の管理、設定等を行うために、管理端末により各ネットワーク接続装置１０１，１０３と通信を行って管理する必要がある。各ネットワーク接続装置１０１，１０３を管理端末により管理する方式の一つとして、インバンド管理がある。インバンド管理とは、管理端末からの管理情報を、ユーザフレームの流れる伝送路を介して、ネットワーク接続装置に送る方式である。
【０００７】
インバンド管理の一例を図６で説明する。
【０００８】
図６に示すネットワーク２００では、地域網Ａと地域網Ｂとの間に４つのネットワーク接続装置２０１〜２０４が順次配置されている。なお、図６では、管理ポートをＭＮ、ユーザポートをＵＳＥＲ、長距離伝送用ポートをＬＨと表記している。
【０００９】
ネットワーク接続装置２０１のユーザポート２０５ａは伝送路２０８を介して地域網Ａに接続されている。ネットワーク接続装置２０４のユーザポート２０５ｄは伝送路２１４を介して地域網Ｂに接続されている。また、ネットワーク接続装置２０１，２０２の長距離伝送用ポート２０６ａ，２０６ｂ同士は長距離伝送路２０９を介して接続されている。ネットワーク接続装置２０２，２０３のユーザポート２０５ｂ，２０５ｃ同士、及び管理ポート２０７ｂ，２０７ｃ同士が伝送路２１１，２１２を介してそれぞれ接続されている。さらに、ネットワーク接続装置２０３，２０４の長距離伝送用ポート２０６ｃ，２０６ｄ同士が長距離伝送路２１３を介して接続されている。
【００１０】
ここでは、ネットワーク接続装置２０１の管理ポート２０７ａに管理用ネットワークＭ2を介して管理端末２１０が接続されている場合を説明する。
【００１１】
ネットワーク２００では、管理端末２１０、各管理ポート２０７ａ〜２０７ｄ、及び各長距離伝送用ポート２０６ａ〜２０６ｄのそれぞれにＩＰアドレスが振られている。図６中のＯｕｔＢａｎｄ  ＩＰは管理ポート２０７ａ〜２０７ｄに振られたＩＰアドレスのことであり、ＤＣＣ  ＩＰは長距離伝送用ポート２０６ａ〜２０６ｄに振られたＩＰアドレスのことである（それぞれサブネットマスクは２５５．２５５．２５５．０）。
【００１２】
各ネットワーク接続装置２０１〜２０４のＩＰルート設定の一例を表１〜４に示す。表１はネットワーク接続装置２０１、表２はネットワーク接続装置２０２、表３はネットワーク接続装置２０３、表４はネットワーク接続装置２０４の設定の例である。
【００１３】
【表１】
2011040901.tif 000003
【００１４】
【表２】
2011040901.tif 000004
【００１５】
【表３】
2011040901.tif 000005
【００１６】
【表４】
2011040901.tif 000006
【００１７】
表１〜４は、フレームの宛先ネットワークアドレスが左欄のアドレスであるとき、右欄のＩＰアドレスに転送することを示している。例えば、ネットワーク接続装置２０１において、宛先ＩＰアドレスが１７２．２０．５１．１０１（すなわち、宛先ネットワークアドレスが１７２．２０．５１．０）のフレームを受信した場合、表１のＩＰルート設定に従って、フレームを１０．１０．１０．２、すなわちネットワーク接続装置２０２の長距離伝送用ポート２０６ｂに転送する。
【００１８】
図６に示したＩＰアドレスから分かるように、管理端末２１０とネットワーク接続装置２０１の管理ポート２０７ａとは同一のネットワークアドレス（１７２．２０．４１．０）に設定され、ネットワーク接続装置２０１の長距離伝送用ポート２０６ａとネットワーク接続装置２０２の長距離伝送用ポート２０６ｂ（１０．１０．１０．０）、ネットワーク接続装置２０２の管理ポート２０７ｂとネットワーク接続装置２０３の管理ポート２０７ｃ（１７２．２０．５１．０）、ネットワーク接続装置２０３の長距離伝送用ポート２０６ｃとネットワーク接続装置２０４の長距離伝送用ポート２０６ｄ（２０．２０．２０．０）は、それぞれ同一のネットワークアドレスに設定される。
【００１９】
以下、ネットワーク２００において、管理端末２１０からネットワーク接続装置２０４に管理情報を送信する場合を説明する。
【００２０】
図７に示すように、管理情報３００は、宛先ＭＡＣアドレスを格納するＭＡＣ  ＤＡ３０１、送信元ＭＡＣアドレスを格納するＭＡＣ  ＳＡ３０２、宛先ＩＰアドレスを格納するＩＰ  ＤＡ３０３、送信元ＩＰアドレスを格納するＩＰ  ＳＡ３０４、処理内容を格納するＤＡＴＡ３０５の各領域を備える。
【００２１】
管理情報３００を管理端末２１０からネットワーク接続装置２０４に送信する場合、管理端末２１０は、ＭＡＣ  ＳＡ３０２、ＩＰ  ＳＡ３０４の各領域に管理端末２１０のＭＡＣアドレス、ＩＰアドレス（１７２．２０．４１．１）をそれぞれ格納し、ＭＡＣ  ＤＡ３０１の領域にネットワーク接続装置２０１のＭＡＣアドレスを格納し、ＩＰ  ＤＡ３０３の領域にネットワーク接続装置２０４のＩＰアドレス（１７２．２０．６１．１０２）を格納し、ＤＡＴＡ３０５の領域に処理内容を格納し、これを管理用ネットワークＭ2を介してネットワーク接続装置２０１に送信する。
【００２２】
ネットワーク接続装置２０１は、管理ポート２０７ａにて管理情報３００を受信し、管理情報３００のＩＰ  ＤＡ３０３の領域に格納されたＩＰアドレス（１７２．２０．６１．１０２）を参照し、予め設定されたＩＰルート設定（宛先ネットワークアドレスが１７２．２０．６１．０のとき、宛先ＩＰアドレス１０．１０．１０．２に転送する）に従って管理情報３００を長距離伝送用ポート２０６ａに転送し、長距離伝送路２０９を介してネットワーク接続装置２０２の長距離伝送用ポート２０６ｂに送信する。この際、ＭＡＣ  ＤＡ３０１をネットワーク接続装置２０２のＭＡＣアドレスに書き換え、ＭＡＣ  ＳＡ３０２をネットワーク接続装置２０１のＭＡＣアドレスに書き換えた後、ネットワーク接続装置２０１からネットワーク接続装置２０２に送信する。
【００２３】
管理情報３００を受信したネットワーク接続装置２０２は、管理情報３００のＩＰ  ＤＡ３０３の領域に格納されたＩＰアドレスを参照し、予め設定されたＩＰルート設定（宛先ネットワークアドレスが１７２．２０．６１．０のとき、宛先ＩＰアドレス１７２．２０．５１．１０１に転送する）に従って管理情報３００を管理ポート２０７ｂに転送し、伝送路２１２を介してネットワーク接続装置２０３に送信する。この際、ＭＡＣ  ＤＡ３０１をネットワーク接続装置２０３のＭＡＣアドレスに書き換え、ＭＡＣ  ＳＡ３０２をネットワーク接続装置２０２のＭＡＣアドレスに書き換えた後、ネットワーク接続装置２０２からネットワーク接続装置２０３に送信する。
【００２４】
管理情報３００を受信したネットワーク接続装置２０３は、管理情報３００のＩＰ  ＤＡ３０３の領域に格納されたＩＰアドレスを参照し、予め設定されたＩＰルート設定（宛先ネットワークアドレスが１７２．２０．６１．０のとき、宛先ＩＰアドレス２０．２０．２０．２に転送する）に従って管理情報３００を長距離伝送用ポート２０６ｃに転送し、長距離伝送路２１３を介してネットワーク接続装置２０４に送信する。この際、ＭＡＣ  ＤＡ３０１をネットワーク接続装置２０４のＭＡＣアドレスに書き換え、ＭＡＣ  ＳＡ３０２をネットワーク接続装置２０３のＭＡＣアドレスに書き換えた後、ネットワーク接続装置２０３からネットワーク接続装置２０４に送信する。
【００２５】
管理情報３００を受信したネットワーク接続装置２０４は、管理情報３００のＩＰ  ＤＡ３０３の領域に格納されたＩＰアドレスを参照し、管理情報３００が自装置宛であると判断し、管理情報３００のＤＡＴＡ３０５の領域に格納された処理内容に従って処理を行う。
【００２６】
このように、従来のインバンド管理を用いたネットワーク２００では、複数のネットワーク接続装置からなるネットワークを複数の異なるセグメント（ネットワークアドレスにより区切られるネットワークの単位）に区切り、ＩＰアドレスに基づくレイヤ３転送により管理情報を転送していた。
【先行技術文献】
【特許文献】
【００２７】
【特許文献１】特開２００３−３３３０４３号公報
【発明の概要】
【発明が解決しようとする課題】
【００２８】
しかしながら、複数のネットワーク接続装置からなるネットワークを複数の異なるセグメントに区切るネットワーク２００では、ネットワーク接続装置の設置台数が増えていくと、割り当てるＩＰアドレスが足りなくなるという問題が起こり得る。
【００２９】
そこで、本発明の目的は、複数のネットワーク接続装置からなるネットワークを同一のセグメントとすることができ、ＩＰの割り当て数を減少させることができるネットワーク接続装置及びネットワークを提供することにある。
【課題を解決するための手段】
【００３０】
本発明は上記目的を達成するために創案されたものであり、請求項１の発明は、物理メディアが異なる伝送路間で信号を変換して中継するネットワーク接続装置であって、第１のポートと、第２のポートと、前記第１のポートと前記第２のポートの間で管理情報を転送する管理情報転送手段とを備え、前記管理情報転送手段は、前記第１のポート又は第２のポートの一方から管理情報が送られてきた場合、前記管理情報の宛先ＭＡＣアドレスが自装置のＭＡＣアドレスと一致する場合、前記管理情報を転送せず、前記管理情報の宛先ＭＡＣアドレスが自装置のＭＡＣアドレスと一致しない場合、前記管理情報を前記第１のポート又は前記第２のポートの他方へ転送するネットワーク接続装置である。
【００３１】
請求項２の発明は、前記管理情報転送手段は、前記管理情報の宛先ＭＡＣアドレスがブロードキャストアドレスと一致する場合、前記管理情報を前記第１のポート又は前記第２のポートの他方へ転送する請求項１記載のネットワーク接続装置である。
【００３２】
請求項３の発明は、物理メディアが異なる伝送路間で信号を変換して中継するネットワーク接続装置であって、第１のポートと、第２のポートと、管理ポートと、前記第１のポート及び前記第２のポートと接続し、前記第１のポートと前記第２のポートの間で信号を変換して中継する中継処理部と、前記管理ポート及び前記中継処理部と接続し、前記管理ポートと前記中継処理部の間で管理情報を転送する管理情報転送手段とを備え、前記中継処理部は前記第１のポートと前記管理情報転送手段の間で管理情報を中継し、前記管理情報転送手段は、前記管理ポート又は前記中継処理部の一方から管理情報が送られてきた場合、前記管理情報の宛先ＭＡＣアドレスが自装置のＭＡＣアドレスと一致する場合、前記管理情報を転送せず、前記管理情報の宛先ＭＡＣアドレスが自装置のＭＡＣアドレスと一致しない場合、前記管理情報を前記管理ポート又は前記中継処理部の他方へ転送するネットワーク接続装置である。
【００３３】
請求項４の発明は、前記管理情報転送手段は、前記管理情報の宛先ＭＡＣアドレスがブロードキャストアドレスと一致する場合、前記管理情報を前記第１のポート又は前記第２のポートの他方へ転送する請求項３記載のネットワーク接続装置である。
【００３４】
請求項５の発明は、前記管理情報の宛先ＭＡＣアドレスが自装置のＭＡＣアドレスと一致する場合、前記管理情報を処理する処理部を備える請求項３記載のネットワーク接続装置である。
【００３５】
請求項６の発明は、請求項１又は２記載のネットワーク接続装置の複数が、前記第１のポート間又は前記第２のポート間が伝送路により接続されて、互いに接続され、管理情報を送信する管理端末が前記複数のネットワーク接続装置の一つに接続されたネットワークである。
【００３６】
請求項７の発明は、請求項３〜５いずれか記載のネットワーク接続装置の複数が、前記第１のポート間又は前記管理ポート間が伝送路により接続されて、互いに接続され、管理情報を送信する管理端末が前記複数のネットワーク接続装置の一つのネットワーク接続装置の管理ポートに接続されたことを特徴とするネットワークである。
【発明の効果】
【００３７】
本発明によれば、複数のネットワーク接続装置からなるネットワークを同一のセグメントとすることができ、ＩＰの割り当て数を減少させることができる。
【図面の簡単な説明】
【００３８】
【図１】本発明の一実施の形態に係るネットワーク接続装置を用いたネットワークを示す図である。
【図２】本発明の一実施の形態に係るネットワーク接続装置の内部構造を示す概略図である。
【図３】ネットワーク接続装置の動作を説明するフローチャートである。
【図４】ネットワーク接続装置の動作を説明するフローチャートである。
【図５】従来のネットワーク接続装置を用いたネットワークを示す図である。
【図６】従来のネットワーク接続装置のインバンド管理を説明する図である。
【図７】管理情報の構成を説明する図である。
【図８】ユーザフレームと管理情報の転送動作を説明するタイムチャートである。
【発明を実施するための形態】
【００３９】
以下、本発明の好適な実施の形態を添付図面にしたがって説明する。
【００４０】
図１は、本実施の形態に係るネットワーク接続装置を用いたネットワークを示す図である。なお、図１では、管理ポートをＭＮ、ユーザポートをＵＳＥＲ、長距離伝送用ポートをＬＨと表記している。
【００４１】
図１に示すように、ネットワーク１は、地域網Ａと地域網Ｂとを４つのネットワーク接続装置２〜５を介して接続したものである。ネットワーク接続装置２〜５は、本発明のネットワーク接続装置である。
【００４２】
ネットワーク接続装置２は、ユーザポート６ａと、長距離伝送用ポート７ａと、管理ポート８ａの各入出力ポートを備えている。ネットワーク接続装置３，４，５は、ネットワーク接続装置２と同様に、それぞれユーザポート６ｂ，６ｃ，６ｄと、長距離伝送用ポート７ｂ，７ｃ，７ｄと、管理ポート８ｂ，８ｃ，８ｄの各入出力ポートを備えている。
【００４３】
ネットワーク接続装置２のユーザポート６ａは伝送路９を介して地域網Ａに接続され、長距離伝送用ポート７ａは長距離伝送路１０を介してネットワーク接続装置３の長距離伝送用ポート７ｂに接続される。また、ネットワーク接続装置２の管理ポート８ａは伝送路１１を介して管理用ネットワークＭに接続される。管理用ネットワークＭは伝送路１２を介して管理端末１３に接続される。
【００４４】
ネットワーク接続装置３のユーザポート６ｂは伝送路１４を介してネットワーク接続装置４のユーザポート６ｃに接続され、管理ポート８ｂは伝送路１５を介してネットワーク接続装置４の管理ポート８ｃに接続される。
【００４５】
ネットワーク接続装置４の長距離伝送用ポート７ｃは長距離伝送路１６を介してネットワーク接続装置５の長距離伝送用ポート７ｄに接続される。
【００４６】
ネットワーク接続装置５のユーザポート６ｄは伝送路１７を介して地域網Ｂに接続される。
【００４７】
ユーザポート６ａ，６ｂ，６ｃ，６ｄ及びこれに接続される伝送路は、例えば、イーサネット（登録商標）の１０ＧＢＡＳＥ−ＳＲの規格に従う。長距離伝送用ポート７ａ，７ｂ，７ｃ，７ｄ及びこれに接続される長距離伝送路は、長距離伝送用の規格に従う。管理ポート８ａ，８ｂ，８ｃ，８ｄ及びこれに接続される伝送路は、例えば、イーサネット（登録商標）の１０ＢＡＳＥ−Ｔ／１００ＢＡＳＥ−ＴＸの規格に従う。なお、ユーザポート６ａ，６ｂ，６ｃ，６ｄ及びこれに接続される伝送路は、１０ＧＢＡＳＥ−ＳＲに限定されず、他のイーサネット（登録商標）の規格に従ってもよく、また、ＳＯＮＥＴ／ＳＤＨあるいはＯＴＮのようなイーサネット（登録商標）以外の規格に従ってもよい。同様に、管理ポート８ａ，８ｂ，８ｃ，８ｄは１０ＢＡＳＥ−Ｔ／１００ＢＡＳＥ−ＴＸに限定されない。
【００４８】
ネットワーク１では、ネットワーク接続装置２，３，４，５にそれぞれ１つのＩＰアドレスが割り振られている（それぞれサブネットマスクは２５５．２５５．２５５．０）。ネットワーク１では、管理端末１３とネットワーク接続装置２，３，４，５が、ネットワークアドレスが１７２．２０．４１．０である一つのセグメントを構成している。図１において、ネットワーク接続装置２，４は管理ポートにＯｕｔＢａｎｄ  ＩＰが割り振られ、ネットワーク接続装置３，５は長距離伝送用ポートにＤＣＣ  ＩＰが割り振られている。ＩＰアドレスの振り方はこれに限られず、ネットワーク接続装置２，３，４，５はそれぞれ、１つのＩＰアドレスが管理ポート又は長距離伝送用ポートのいずれかに割り振られるように設定すればよい。
【００４９】
図１のネットワーク１において、例えば、地域網Ａから地域網Ｂにユーザフレームを送る場合、地域網Ａから送信されたユーザフレームは、伝送路９を介してネットワーク接続装置２のユーザポート６ａで受信される。ユーザフレームは、ネットワーク接続装置２にて、長距離伝送用の信号に変換されて、長距離伝送用ポート７ａから送信される。ネットワーク接続装置２から送信されたユーザフレームは、長距離伝送路１０を介してネットワーク接続装置３の長距離伝送用ポート７ｂで受信される。ユーザフレームは、ネットワーク接続装置３にて、地域網用の信号に変換されて、ユーザポート６ｂから送信される。ネットワーク接続装置３から送信されたユーザフレームは、伝送路を介してネットワーク接続装置４のユーザポート６ｃで受信される。ユーザフレームは、ネットワーク接続装置４にて、長距離伝送用の信号に変換されて、長距離伝送用ポート７ｃから送信される。ネットワーク接続装置４から送信されたユーザフレームは、長距離伝送路１６を介してネットワーク接続装置５の長距離伝送用ポート７ｄで受信される。ユーザフレームは、ネットワーク接続装置５にて、地域網用の信号に変換されて、ユーザポート６ｄから送信される。ネットワーク接続装置５から送信されたユーザフレームは、地域網Ｂにて受信される。地域網Ｂから地域網Ａへユーザフレームを送る場合も同様である。
【００５０】
図２に、本実施の形態のネットワーク接続装置の内部構造の概略図を示す。ネットワーク接続装置２（又は３，４，５）は、ユーザポート６ａ（又は６ｂ，６ｃ，６ｄ）、長距離伝送用ポート７ａ（又は７ｂ，７ｃ，７ｄ）、管理ポート８ａ（又は８ｂ，８ｃ，８ｄ）と、ユーザポート６ａ（又は６ｂ，６ｃ，６ｄ）及び長距離伝送用ポート７ａ（又は７ｂ，７ｃ，７ｄ）と接続し信号の変換処理を行う中継ＬＳＩ（中継処理部）１８ａ（又は１８ｂ，１８ｃ，１８ｄ）と、管理ポート８ａ（又は８ｂ，８ｃ，８ｄ）及び中継ＬＳＩ１８ａ（又は１８ｂ，１８ｃ，１８ｄ）と接続するＣＰＵ（処理部）１９ａ（又は１９ｂ，１９ｃ，１９ｄ）を備える。
【００５１】
ＣＰＵ１９ａ（又は１９ｂ，１９ｃ，１９ｄ）は、管理ポート８ａ（又は８ｂ，８ｃ，８ｄ）と中継ＬＳＩ１８ａ（又は１８ｂ，１８ｃ，１８ｄ）の間で管理情報を転送する管理情報転送手段２２ａ（又は２２ｂ，２２ｃ，２２ｄ）を備える。
【００５２】
管理情報転送手段２２ａ（又は２２ｂ，２２ｃ，２２ｄ）は、受信した管理情報の宛先ＭＡＣアドレスを判断するアドレス判断部２０ａ（又は２０ｂ，２０ｃ，２０ｄ）と、管理情報を転送する転送部２１ａ（又は２１ｂ，２１ｃ，２１ｄ）とを備える。
【００５３】
アドレス判断部２０ａ（又は２０ｂ，２０ｃ，２０ｄ）は、管理情報の宛先ＭＡＣアドレスを参照し、ブロードキャストアドレスと一致するか否かを判断する。アドレス判断部２０ａ（又は２０ｂ，２０ｃ，２０ｄ）は、ブロードキャストアドレスと一致しない場合、管理情報の宛先ＭＡＣアドレスが自装置のＭＡＣアドレスと一致するか否かを判断する。
【００５４】
転送部２１ａ（又は２１ｂ，２１ｃ，２１ｄ）は、管理情報の宛先ＭＡＣアドレスがブロードキャストアドレスと一致する場合及び管理情報の宛先ＭＡＣアドレスが自装置のＭＡＣアドレスと一致しない場合、管理ポート８ａ（又は８ｂ，８ｃ，８ｄ）と中継ＬＳＩ１８ａ（又は１８ｂ，１８ｃ，１８ｄ）の間で管理情報を転送する。転送部２１ａ（又は２１ｂ，２１ｃ，２１ｄ）は、管理ポート８ａ（又は８ｂ，８ｃ，８ｄ）から管理情報が送られてきた場合、管理情報を中継ＬＳＩ１８ａ（又は１８ｂ，１８ｃ，１８ｄ）に転送する。また、転送部２１ａ（又は２１ｂ，２１ｃ，２１ｄ）は、中継ＬＳＩ１８ａ（又は１８ｂ，１８ｃ，１８ｄ）から管理情報が送られてきた場合、管理情報を管理ポート８ａ（又は８ｂ，８ｃ，８ｄ）に転送する。
【００５５】
転送部２１ａ（又は２１ｂ，２１ｃ，２１ｄ）は、管理情報の宛先ＭＡＣアドレスがブロードキャストアドレスと一致せず、自装置のＭＡＣアドレスと一致する場合、管理情報を転送しない。
【００５６】
ＣＰＵ１９ａ（又は１９ｂ，１９ｃ，１９ｄ）は、管理情報の宛先ＭＡＣアドレスがブロードキャストアドレスと一致する場合又は自装置のＭＡＣアドレスと一致する場合、管理情報のＤＡＴＡ３０５の領域を参照し、この領域に格納された処理内容に従って自装置の管理、設定等を行う。
【００５７】
アドレス判断部２０ａ（又は２０ｂ，２０ｃ，２０ｄ）及び転送部２１ａ（又は２１ｂ，２１ｃ，２１ｄ）は、ＣＰＵ１９ａ（又は１９ｂ，１９ｃ，１９ｄ）の図示しないメモリに格納されたプログラムによる動作によって実現される。なお、アドレス判断部２０ａ（又は２０ｂ，２０ｃ，２０ｄ）及び転送部２１ａ（又は２１ｂ，２１ｃ，２１ｄ）は、ＣＰＵ１９ａ（又は１９ｂ，１９ｃ，１９ｄ）とは別のＬＳＩ等の処理回路により実現してもよい。
【００５８】
中継ＬＳＩ１８ａ（又は１８ｂ，１８ｃ，１８ｄ）は、ユーザポート６ａ（又は６ｂ，６ｃ，６ｄ）から送られてきたユーザフレームの信号を、ユーザポート６ａ（又は６ｂ，６ｃ，６ｄ）が属する伝送規格の信号から長距離伝送用ポート７ａ（又は７ｂ，７ｃ，７ｄ）が属する伝送規格の信号へ変換し、長距離伝送用ポート７ａ（又は７ｂ，７ｃ，７ｄ）へ送る。同様に、中継ＬＳＩ１８ａ（又は１８ｂ，１８ｃ，１８ｄ）は、長距離伝送用ポート７ａ（又は７ｂ，７ｃ，７ｄ）から送られてきたユーザフレームの信号を、長距離伝送用ポート７ａ（又は７ｂ，７ｃ，７ｄ）が属する伝送規格の信号からユーザポート６ａ（又は６ｂ，６ｃ，６ｄ）が属する伝送規格の信号へ変換し、ユーザポート６ａ（又は６ｂ，６ｃ，６ｄ）へ送る。
【００５９】
また、中継ＬＳＩ１８ａ（又は１８ｂ，１８ｃ，１８ｄ）は、ＣＰＵ１９ａ（又は１９ｂ，１９ｃ，１９ｄ）から送られてきた管理情報を、ＩＦＳ（Ｉｎｔｅｒ  Ｆｒａｍｅ  Ｓｉｇｎａｌｉｎｇ）によりユーザフレームの間に挿入するよう処理して、長距離伝送用ポート７ａ（又は７ｂ，７ｃ，７ｄ）へ送る。ＩＦＳは、図８に示すように、ユーザフレーム３０６の間のアイドル時間ｔに管理情報３００を挿入する（アイドル時間ｔに管理情報３００を送信する）方法である。同様に、中継ＬＳＩ１８ａ（又は１８ｂ，１８ｃ，１８ｄ）は、長距離伝送用ポート７ａ（又は７ｂ，７ｃ，７ｄ）から送られてきたユーザフレームの間に挿入された管理情報を、ユーザフレームの間から取り出して、ＣＰＵ１９ａ（又は１９ｂ，１９ｃ，１９ｄ）へ送る。
【００６０】
本実施の形態のネットワーク接続装置２〜５では、中継ＬＳＩ１８ａ（又は１８ｂ，１８ｃ，１８ｄ）は、長距離伝送用ポート７ａ（又は７ｂ，７ｃ，７ｄ）でユーザフレーム間に挿入されている情報を取り出したとき、この情報を管理情報３００であると判断する。また、管理ポート８ａ〜８ｄでは管理情報３００しか送受信しないので、管理ポート８ａ〜８ｄで受信した情報がＣＰＵ１９ａ（又は１９ｂ，１９ｃ，１９ｄ）から中継ＬＳＩ１８ａ（又は１８ｂ，１８ｃ，１８ｄ）に送られた場合、中継ＬＳＩ１８ａ（又は１８ｂ，１８ｃ，１８ｄ）は、ＣＰＵ１９ａ（又は１９ｂ，１９ｃ，１９ｄ）から送られてきたことに基いて、この情報を管理情報３００と判断する。
【００６１】
なお、本実施の実施形態では，ＩＦＳにより長距離伝送用ポート間の管理情報の送受信を行っているが、管理情報をフレームとしてユーザフレームと合流させ、ユーザポートで送受信されるデータ通信の帯域を用いて管理フレームの送受信を行ってもよい。また、ＳＯＮＥＴ／ＳＤＨあるいはＯＴＮの信号におけるオーバーヘッドのように，予め定義されたデータ通信用の帯域を用いて管理フレームの送受信を行ってもよい。
【００６２】
次に、本発明のネットワーク接続装置２（又は３，４，５）の動作を説明する。
【００６３】
図３は、管理ポート８ａ（又は８ｂ，８ｃ，８ｄ）で管理情報を受信し、管理ポート８ａ（又は８ｂ，８ｃ，８ｄ）からＣＰＵ１９ａ（又は１９ｂ，１９ｃ，１９ｄ）へ管理情報が送られた場合のフローチャートである。
【００６４】
（ステップ１０１）
アドレス判断部２０ａ（又は２０ｂ，２０ｃ，２０ｄ）は、管理情報の宛先ＭＡＣアドレスがブロードキャストアドレスと一致するか否かを判断する。
【００６５】
（ステップ１０２）
管理情報の宛先ＭＡＣアドレスがブロードキャストアドレスと一致する場合、転送部２１ａ（又は２１ｂ，２１ｃ，２１ｄ）は管理情報をコピーして中継ＬＳＩ１８ａ（又は１８ｂ，１８ｃ，１８ｄ）に転送する。
【００６６】
（ステップ１０３）
管理情報をＣＰＵ１９ａ（又は１９ｂ，１９ｃ，１９ｄ）で処理する。
【００６７】
（ステップ１０４）
管理情報の宛先ＭＡＣアドレスがブロードキャストアドレスと一致しない場合、アドレス判断部２０ａ（又は２０ｂ，２０ｃ，２０ｄ）は、管理情報の宛先ＭＡＣアドレスが自装置のＭＡＣアドレスと一致するか否かを判断する。
【００６８】
（ステップ１０５）
管理情報の宛先ＭＡＣアドレスが自装置のＭＡＣアドレスと一致する場合、管理情報をＣＰＵ１９ａ（又は１９ｂ，１９ｃ，１９ｄ）で処理する。
【００６９】
（ステップ１０６）
管理情報の宛先ＭＡＣアドレスが自装置のＭＡＣアドレスと一致しない場合、転送部２１ａ（又は２１ｂ，２１ｃ，２１ｄ）は管理情報を中継ＬＳＩ１８ａ（又は１８ｂ，１８ｃ，１８ｄ）に転送する。
【００７０】
図４は、長距離伝送用ポート７ａ（又は７ｂ，７ｃ，７ｄ）で管理情報を受信し、中継ＬＳＩ１８ａ（又は１８ｂ，１８ｃ，１８ｄ）からＣＰＵ１９ａ（又は１９ｂ，１９ｃ，１９ｄ）へ管理情報が送られた場合のフローチャートである。
【００７１】
（ステップ２０１）
アドレス判断部２０ａ（又は２０ｂ，２０ｃ，２０ｄ）は、管理情報の宛先ＭＡＣアドレスがブロードキャストアドレスと一致するか否かを判断する。
【００７２】
（ステップ２０２）
管理情報の宛先ＭＡＣアドレスがブロードキャストアドレスと一致する場合、転送部２１ａ（又は２１ｂ，２１ｃ，２１ｄ）は管理情報をコピーして管理ポート８ａ（又は８ｂ，８ｃ，８ｄ）に転送する。
【００７３】
（ステップ２０３）
管理情報をＣＰＵ１９ａ（又は１９ｂ，１９ｃ，１９ｄ）で処理する。
【００７４】
（ステップ２０４）
管理情報の宛先ＭＡＣアドレスがブロードキャストアドレスと一致しない場合、アドレス判断部２０ａ（又は２０ｂ，２０ｃ，２０ｄ）は、管理情報の宛先ＭＡＣアドレスが自装置のＭＡＣアドレスと一致するか否かを判断する。
【００７５】
（ステップ２０５）
管理情報の宛先ＭＡＣアドレスが自装置のＭＡＣアドレスと一致する場合、管理情報をＣＰＵ１９ａ（又は１９ｂ，１９ｃ，１９ｄ）で処理する。
【００７６】
（ステップ２０６）
管理情報の宛先ＭＡＣアドレスが自装置のＭＡＣアドレスと一致しない場合、転送部２１ａ（又は２１ｂ，２１ｃ，２１ｄ）は管理情報を管理ポート８ａ（又は８ｂ，８ｃ，８ｄ）に転送する。
【００７７】
各ネットワーク接続装置２〜５が管理情報転送手段２２ａ〜２２ｄを備えているため、ネットワーク１では、各ネットワーク接続装置２〜５を同一のセグメントとし、管理情報をＭＡＣアドレスに基いてレイヤ２転送を行うことができる。
【００７８】
次に、図１を用いてネットワーク１の動作を説明する。ここでは、一例として管理端末１３からネットワーク接続装置５へ管理情報を送る場合を説明する。
【００７９】
管理端末１３は、図７で説明した管理情報３００のＭＡＣ  ＳＡ３０２、ＩＰ  ＳＡ３０４の各領域に管理端末１３のＭＡＣアドレス、ＩＰアドレス（１７２．２０．４１．１）をそれぞれ格納し、ＭＡＣ  ＤＡ３０１、ＩＰ  ＤＡ３０３の各領域にネットワーク接続装置５のＭＡＣアドレス、ＩＰアドレス（１７２．２０．４１．１０４）を格納し、ＤＡＴＡ３０５の領域に処理内容を格納し、これを管理用ネットワークＭを介してネットワーク接続装置２に送信する。
【００８０】
ネットワーク接続装置２は、管理ポート８ａにて管理情報３００を受信すると、アドレス判断部２０ａは、管理情報３００の宛先ＭＡＣアドレスがブロードキャストアドレスと一致しない、及び管理情報３００の宛先ＭＡＣアドレスが自装置のＭＡＣアドレスと一致しないことを判断し、転送部２１ａは管理情報３００を中継ＬＳＩに転送し、管理情報３００は中継ＬＳＩから長距離伝送用ポート７ａに送られて、長距離伝送用ポート７ａからネットワーク接続装置３へ送信される。
【００８１】
ネットワーク接続装置３は、長距離伝送用ポート７ｂにて管理情報３００を受信すると、アドレス判断部２０ｂは、管理情報３００の宛先ＭＡＣアドレスがブロードキャストアドレスと一致しない、及び管理情報３００の宛先ＭＡＣアドレスが自装置のＭＡＣアドレスと一致しないことを判断し、転送部２１ｂは管理情報３００を管理ポート８ｂに転送し、管理情報３００は管理ポート８ｂからネットワーク接続装置４へ送信される。
【００８２】
ネットワーク接続装置４は、管理ポート８ｃにて管理情報３００を受信すると、アドレス判断部２０ｃは、管理情報３００の宛先ＭＡＣアドレスがブロードキャストアドレスと一致しない、及び管理情報３００の宛先ＭＡＣアドレスが自装置のＭＡＣアドレスと一致しないことを判断し、転送部２１ｃは管理情報３００を中継ＬＳＩに転送し、管理情報３００は中継ＬＳＩから長距離伝送用ポート７ｃに送られて、長距離伝送用ポート７ｃからネットワーク接続装置５へ送信される。
【００８３】
ネットワーク接続装置５は、長距離伝送用ポート７ｄにて管理情報３００を受信すると、アドレス判断部２０ｄは、管理情報３００の宛先ＭＡＣアドレスがブロードキャストアドレスと一致しない、及び管理情報３００の宛先ＭＡＣアドレスが自装置のＭＡＣアドレスと一致すると判断し、ＣＰＵ１９ｄが管理情報３００のＤＡＴＡ３０５の領域を参照し、この領域に格納された処理内容に従って自装置の管理、設定等を行う。
【００８４】
以上により、管理端末１３でネットワーク接続装置５の管理、設定等を行うことができる。
【００８５】
以上の動作は、管理対象であるネットワーク接続装置のＭＡＣアドレスが管理端末１３で学習済みであることが前提であるが、地域網Ａと地域網Ｂとの間に設置されるネットワーク接続装置の設置台数を増やしたりして、管理端末１３が管理対象のネットワーク接続装置のＭＡＣアドレスを未学習の場合がある。
【００８６】
この場合は、管理、設定を行う際に、予めＡＲＰ（Ａｄｄｒｅｓｓ Ｒｅｓｏｌｕｔｉｏｎ Ｐｒｏｔｏｃｏｌ）を用いて管理対象のネットワーク接続装置のＭＡＣアドレスを学習するようにすればよい。図６で説明した従来のインバンド管理を用いたネットワーク２００では、各ネットワーク接続装置２０１〜２０４が同一のセグメントにないため、ＡＲＰで他のネットワーク接続装置のＭＡＣアドレスを学習することはできないが、本実施の形態に係るネットワーク接続装置２〜５を用いたネットワーク１００では、それぞれのネットワーク接続装置２〜５が同一のセグメントにあるため、ＡＲＰにて他のネットワーク接続装置のＭＡＣアドレスを取得することが可能となる。
【００８７】
このように、本実施の形態に係るネットワーク接続装置２〜５は、管理情報３００を受信したとき、管理情報３００の宛先ＭＡＣアドレスが自装置のＭＡＣアドレスと一致しない場合に、管理情報３００を他のネットワーク接続装置に転送する管理情報転送手段２２ａ〜２２ｄを備えている。
【００８８】
また、管理情報転送手段２２ａ（又は２２ｂ，２２ｃ，２２ｄ）は、受信した管理情報３００の宛先ＭＡＣアドレスが自装置のＭＡＣアドレスと一致するか否かを判断するアドレス判断部２０ａ（又は２０ｂ，２０ｃ，２０ｄ）と、管理情報３００の宛先ＭＡＣアドレスが自装置のＭＡＣアドレスと一致しない場合に他のネットワーク接続装置に転送する転送部２１ａ（又は２１ｂ，２１ｃ，２１ｄ）とを備えている。
【００８９】
そのため、ネットワーク接続装置２〜５は管理情報をＭＡＣアドレスに基いたレイヤ２転送を行うことができる。これにより、ネットワーク接続装置２〜５を同一のセグメントとすることができ、ＩＰの割り当て数を減少させることができる。
【００９０】
また、ＭＡＣアドレスに基いたレイヤ２転送を行うことができるため、ＩＰアドレスによるルート情報を設定する必要がなくなる。
【００９１】
なお、上記の実施の形態では、管理情報転送手段２２ａ〜２２ｄを用いたレイヤ２転送モードについて説明したが、図６で説明したような従来のインバンド管理にも対応可能とし、転送モードを切り替え可能としてもよい。
【００９２】
また、上記の実施の形態では、管理ポートはＣＰＵを介して中継ＬＳＩと接続されているが、管理情報転送手段の動作を行う別のＬＳＩを設け、当該ＬＳＩを介して管理ポートと中継ＬＳＩを接続してもよい。また、管理情報転送手段を中継ＬＳＩの内部に組み込み、管理ポートと中継ＬＳＩを直接接続してもよい。
【００９３】
また、上記の実施の形態では、ネットワーク接続装置はユーザポート、長距離伝送用ポート及び中継ＬＳＩを１つ有するが、ユーザポート、長距離伝送用ポート及び中継ＬＳＩは１つ以上有してもよい。
【００９４】
また、上記の実施の形態では、ネットワーク接続装置は、ユーザポートで受信した信号を１対１で長距離用の信号に変換して長距離伝送用ポートから送信しているが、複数のユーザポートで受信した信号を、時分割、波長分割、周波数分割、符号分割あるいは偏波分割といった多重化手法を用いて、少なくとも１つの長距離用の信号に多重化してもよい。
【００９５】
また、上記の実施の形態では、管理情報は管理ポート間を接続する伝送路及び長距離伝送用ポート間を接続する長距離伝送路に伝送するようにしているが、これに限られず、管理情報はユーザポート間を接続する伝送路に流すようにしてもよい。例えば、図１のネットワーク１において、ネットワーク接続装置３,４の管理ポート間は接続を行わず、ユーザポート６ｂ,６ｃの間に管理情報を流すようにしてもよい。この場合、管理ポートに直接伝送路が接続されているネットワーク接続装置２を除き、ネットワーク接続装置３,４,５の管理情報転送手段はユーザポートと長距離伝送用ポートの間で管理フレームを転送するようにする。
【符号の説明】
【００９６】
２〜５  ネットワーク接続装置
１３  管理端末
２２ａ〜２２ｄ  管理情報転送手段
３００  管理情報
【図１】
2011040901.tif 000007
【図２】
2011040901.tif 000008
【図３】
2011040901.tif 000009
【図４】
2011040901.tif 000010
【図５】
2011040901.tif 000011
【図６】
2011040901.tif 000012
【図７】
2011040901.tif 000013
【図８】
2011040901.tif 000014